(57)【要約】【課題】新たな媒体を媒体供給源にセットした後に、その媒体のセットに伴って生じるユーザーの手間を低減することができる印刷装置を提供する。【解決手段】プリンターは、給送カセットと手差しトレイを備える。プリンターの電源投入後、初めて給送カセットに用紙がセットされた場合（Ｓ１２：ＹＥＳ，Ｓ１３：ＹＥＳ）には、セットされた用紙の種類の問い合わせを行う（Ｓ１４）。手差しトレイに用紙がセットされた場合には（Ｓ１２：ＮＯ）、セットされた用紙の種類の問い合わせを行う（Ｓ１７）。そして、プリンターの電源投入後、２回目以降に給送カセットに用紙がセットされた場合（Ｓ１２：ＹＥＳ，Ｓ１３：ＮＯ）には、セットされた用紙の種類の問い合わせを行わない。【選択図】図５
2015006768.tif 000002
【特許請求の範囲】
【請求項１】
第１媒体供給源と、
セットできる媒体の種類が前記第１媒体供給源よりも多い第２媒体供給源と、
前記第１媒体供給源及び前記第２媒体供給源から供給された前記媒体に印刷を行う印刷部と、
前記第１媒体供給源及び前記第２媒体供給源に、新たな前記媒体がセットされたことを検出する検出部と、
新たな前記媒体がセットされたことを前記検出部が検出した場合に、セットした前記媒体の種類をユーザーに問合せする問合せ部と、
前記検出部が前記第１媒体供給源に前記新たな媒体がセットされたことを検出した場合に、同第１媒体供給源に対して、前記問合せ部の前記問合せを禁止する禁止部と、を備え、
前記禁止部は、前記検出部が前記第１媒体供給源に新たな前記媒体がセットされたことを、電源が投入された後初めて検出した場合には、前記問合せ部の前記問合せを禁止しないことを特徴とする印刷装置。
【請求項２】
第１媒体供給源と、
セットできる媒体量が前記第１媒体供給源よりも少ない第２媒体供給源と、
前記第１媒体供給源及び前記第２媒体供給源から供給された前記媒体に印刷を行う印刷部と、
前記第１媒体供給源及び前記第２媒体供給源に、新たな前記媒体がセットされたことを検出する検出部と、
新たな前記媒体がセットされたことを前記検出部が検出した場合に、セットした前記媒体の種類をユーザーに問合せする問合せ部と、
前記検出部が前記第１媒体供給源に前記新たな媒体がセットされたことを検出した場合に、同第１媒体供給源に対して、前記問合せ部の前記問合せを禁止する禁止部と、を備え、
前記禁止部は、前記検出部が前記第１媒体供給源に新たな前記媒体がセットされたことを、電源が投入された後初めて検出した場合には、前記問合せ部の前記問合せを禁止しないことを特徴とする印刷装置。
【請求項３】
前記禁止部は、電源が切断されてから電源が再投入されるまでの停止期間が、設定期間よりも短い場合には、前記検出部が前記第１媒体供給源に新たな前記媒体がセットされたことを、電源が投入された後初めて検出した場合でも、前記問合せ部の前記問合せを禁止することを特徴とする請求項１又は請求項２に記載の印刷装置。
【請求項４】
前記第１媒体供給源及び前記第２媒体供給源にセットされている前記媒体の種類を表示可能な表示部をさらに備え、
前記問合せ部は、前記媒体の種類を前記表示部に表示させて問合せすることを特徴とする請求項１〜請求項３のうちいずれか一項に記載の印刷装置。
【発明の詳細な説明】
【技術分野】
【０００１】
本発明は、複数の媒体供給源から供給された用紙などの媒体に印刷を行う印刷装置に関する。
【背景技術】
【０００２】
従来から、複数の給送トレイ（媒体供給源）から用紙（媒体）を給紙可能なプリンターが知られている。こうしたプリンターには、給送トレイが装着されたときに、装着された給送トレイに収容される用紙の種類を入力させる画面を表示するものがある（例えば、特許文献１）。そして、このプリンターでは、給送トレイが装着されたときに用紙の種類の入力（問合せ）画面を表示させるか否かを、ユーザーが任意に設定することを可能としている。
【先行技術文献】
【特許文献】
【０００３】
【特許文献１】特開２００２−２７８３７７号公報
【発明の概要】
【発明が解決しようとする課題】
【０００４】
ところで、上記従来のプリンターにおいて、給送トレイ装着時の用紙の種類の入力画面を非表示設定にすると、異なる種類の用紙をセットした給送トレイを装着した場合に、用紙の種類の変更設定を別途行う必要が生じ、ユーザーの手間となる。その一方で、給送トレイ装着時の用紙の種類の入力画面を表示設定にすると、用紙の種類を変更せずに用紙をセットした給送トレイを装着する場合でも、本来必要でない用紙の種類の入力画面が毎回表示され、ユーザーの手間となる。こうして、上記従来のプリンターでは、給送トレイが装着された際に、用紙の種類の入力画面を表示する場合も表示しない場合も、ユーザーの手間となるという課題がある。
【０００５】
本発明は、上記課題のうち少なくとも１つに鑑みてなされたものである。その目的は、新たな媒体を媒体供給源にセットした後に、その媒体のセットに伴って生じるユーザーの手間を低減することができる印刷装置を提供することにある。
【課題を解決するための手段】
【０００６】
以下、上記課題を解決するための手段及びその作用効果について記載する。
上記課題を解決する印刷装置は、第１媒体供給源と、以前と異なる種類の媒体がセットされる頻度が前記第１媒体供給源よりも多い第２の媒体供給源と、を備える。ここで、第１媒体供給源とは、セットできる媒体の種類が第２媒体供給源よりも少ない媒体供給源、又はセットできる媒体量が第２媒体供給源よりも多い媒体供給源のことをいう。一方、以前と異なる種類の媒体がセットされる頻度が前記第１媒体供給源よりも多い第２の媒体供給源とは、セットできる媒体の種類が第１媒体供給源よりも多い媒体供給源、又はセットできる媒体量が第１媒体供給源よりも少ない媒体供給源のことをいう。
【０００７】
さらに、同印刷装置は、前記第１媒体供給源及び前記第２媒体供給源から供給された前記媒体に印刷を行う印刷部と、前記第１媒体供給源及び前記第２媒体供給源に、新たな前記媒体がセットされたことを検出する検出部と、新たな前記媒体がセットされたことを前記検出部が検出した場合に、セットした前記媒体の種類をユーザーに問合せする問合せ部と、前記検出部が前記第１媒体供給源に前記新たな媒体がセットされたことを検出した場合に、同第１媒体供給源に対して、前記問合せ部の前記問合せを禁止する禁止部と、を備える。そして、同印刷装置における前記禁止部は、前記検出部が前記第１媒体供給源に新たな前記媒体がセットされたことを、電源が投入された後初めて検出した場合には、前記問合せ部の前記問合せを禁止しない。
【０００８】
上記構成によれば、媒体供給源に新たな媒体がセットされたときに、ユーザーに対して同媒体の種類の問合せを行うことで、その応答としてユーザーにより入力される媒体の種類の情報に基づき、印刷装置は、媒体供給源にセットされている媒体の種類を認識することができる。
【０００９】
ここで、第１媒体供給源が第２媒体供給源に比べて、セットできる媒体の種類（例えば、媒体のサイズや媒体の質種など）が少ない場合には、第１媒体供給源に以前と異なる種類の媒体がセットされる頻度は、第２媒体供給源に以前と異なる種類の媒体がセットされる頻度よりも低いことが予想される。一方、第１媒体供給源が第２媒体供給源に比べて、セットできる媒体量が多い場合には、第１媒体供給源が同一種類の媒体を大量印刷する際の媒体供給源に適することとなり、第２媒体供給源が複数種類の媒体を少量印刷する際の媒体供給源に適することとなる。したがって、この場合でも、第１媒体供給源に以前と異なる種類の媒体がセットされる頻度は、第２媒体供給源に以前と異なる種類の媒体がセットされる頻度よりも低いことが予想される。
【００１０】
そこで、上記構成の印刷装置は、そうした以前と異なる種類の媒体がセットされる頻度が第２媒体供給源よりも低い第１媒体供給源に対しては、同第１媒体供給源に新たな媒体がセットされたことが電源投入後初めて検出された場合を除き、新たな媒体をセットする際の媒体の種類の問合せを禁止する。その一方で、上記構成の印刷装置は、そうした以前と異なる種類の媒体がセットされる頻度が第１媒体供給源よりも高い第２媒体供給源に対しては、新たな媒体をセットする際の媒体の種類の問合せを都度許容する。
【００１１】
こうして、以前と異なる種類の媒体がセットされる頻度が第２媒体供給源よりも少ない第１媒体供給源に媒体がセットされる場合には、ユーザーにセットした媒体の種類の問合せが通常行われない。一方、以前と異なる種類の媒体がセットされる頻度が第１媒体供給源よりも多い第２媒体供給源に媒体がセットされる場合には、ユーザーにセットした媒体の種類の問合せが行われる。その一方で、媒体の種類が変更される可能性が高いと予想される、印刷装置の電源投入後初めて第１媒体供給源に媒体がセットされた場合には、ユーザーにセットした媒体の種類の問合せが行われる。こうして、各媒体供給源に対して新たな媒体がセットされた際に、媒体の種類が変更された可能性が高い場合には媒体の種類の問合せを行うことができ、媒体の種類が変更された可能性が低い場合には媒体の種類の問合せを行わないようにできる。したがって、新たな媒体を媒体供給源にセットした後に、その媒体のセットに伴って生じるユーザーの手間をより低減することができる。
【００１２】
上記印刷装置において、前記禁止部は、電源が切断されてから電源が再投入されるまでの停止期間が、設定期間よりも短い場合には、前記検出部が前記第１媒体供給源に新たな前記媒体がセットされたことを、電源が投入された後初めて検出した場合でも、前記問合せ部の前記問合せを禁止することが望ましい。
【００１３】
上記構成によれば、印刷装置の電源が投入された後、第１媒体供給源に初めて媒体がセットされた場合に、設定期間に応じて、問合せ部に問合せをさせたり禁止させたりすることができる。このため、例えば、印刷装置を日中は電源を投入し夜間は電源を切断するという態様で使用する場合、設定期間を１日に設定することによって、印刷装置の電源投入後、最初に第１媒体供給源に新たな媒体がセットされても、媒体の種類の問合せを禁止させることができる。こうして、印刷装置を日常的に使用する際など、第１媒体供給源にセットされる媒体の種類が変更される可能性が低い場合には、電源投入後に第１媒体供給源に媒体が初めてセットされたときでも、媒体の種類の問合せを禁止することができる。このため、媒体のセットに伴って生じるユーザーの手間をさらに低減することができる。
【００１４】
上記印刷装置は、前記第１媒体供給源及び前記第２媒体供給源にセットされている前記媒体の種類を表示可能な表示部をさらに備え、前記問合せ部は、前記媒体の種類を前記表示部に表示させて問合せすることが望ましい。
【００１５】
上記構成によれば、表示部を介して、第１媒体供給部及び第２媒体供給部にセットされている媒体の種類の問合せが可能となるため、ユーザーが媒体の種類の問合せ作業を容易に行うことができる。
【図面の簡単な説明】
【００１６】
【図１】複合機能を有するプリンターの斜視図。
【図２】プリンターの電気的構成を示すブロック図。
【図３】プリンターの機能的構成を示すブロック図。
【図４】（ａ）〜（ｃ）は給送トレイに対する問合せ画面の遷移を示す図。
【図５】給送トレイに新たな用紙をセットしたときの処理ルーチンを示すフローチャート。
【図６】変形例の問合せ画面を示す図。
【図７】変形例における処理ルーチンの一部を示すフローチャート。
【発明を実施するための形態】
【００１７】
以下、印刷装置をインクジェット式プリンター（以下、単に「プリンター」ともいう。）に具体化した一実施形態について、図を参照して説明する。
図１に示すプリンター１１は、スキャン機能、プリント機能、コピー機能、及びファクシミリ機能を併せ持つ複合機である。プリンター１１は、略直方体形状を有する装置本体１２と、装置本体１２の前面（図１では右手前面）に設けられた操作パネル１３とを備えている。操作パネル１３には、表示部１４及び複数の操作スイッチからなる操作部１５が設けられている。操作部１５には、電源スイッチ１５ａ、印刷開始ボタン１５ｂ及び各種モードを切り替えるモード切替えボタン１５ｃなどが含まれる。なお、本実施形態の表示部１４はその画面に表示されたボタンに触れるとそのボタンに対応する内容を選択入力可能なタッチパネルになっており、このタッチパネル機能も操作部の一部を構成する。
【００１８】
図１に示すように、装置本体１２の前面下部には、媒体の一例としての用紙Ｐを収容可能な複数（図１の例では三つ）のカセット型の給送トレイ１６〜１８が、それぞれ装置本体１２の収容凹部に対して着脱可能（挿抜可能）な状態で装着されている。複数の給送トレイ１６〜１８のうちの一つから給送された用紙Ｐは、装置本体１２内の背面側に配置された用紙反転経路（図示省略）に沿って反転した後、搬送方向Ｙに沿って搬送される。また、装置本体１２の背面側には用紙Ｐを載置可能な手差し型の給送トレイ１９が設けられている。なお、以降の説明では、カセット型の給送トレイ１６〜１８を「給送カセット１６〜１８」ともいい、手差し型の給送トレイ１９を「手差しトレイ１９」ともいう。また、三つの給送カセット１６〜１８を区別する場合には、上側から順に、第１給送カセット１６、第２給送カセット１７、第３給送カセット１８ともいう。さらに、給送カセット１６〜１８と手差しトレイ１９とを合わせて、給送トレイ１６〜１９ともいう。
【００１９】
図１に示すように、装置本体１２内には、搬送方向Ｙと交差する主走査方向Ｘ（本例では幅方向）に延びるガイド軸２１に案内されて往復移動可能なキャリッジ２２が設けられている。キャリッジ２２の下部に取り付けられた印刷ヘッド２３は、搬送される媒体の一例としての用紙Ｐ（図１では二点鎖線で示す）にインク滴を噴射可能な複数のノズルを有している。そして、印刷ヘッド２３は、キャリッジ２２が主走査方向Ｘに往復移動しながらインク滴を噴射することで、用紙Ｐの表面に文書又は画像等の印刷を行う。印刷済みの用紙Ｐは、搬送方向Ｙへ送られ、装置本体１２の正面の操作パネル１３の下側で給送カセット１６〜１８の上側の位置に開口する排出口２４から排出される。そして、排出された用紙Ｐは、例えば突出状態に引き延ばされたスライド式の排出スタッカー２５（排出トレイ）上に積載される。
【００２０】
このように図１に示すプリンター１１では、装置本体１２における下部がプリンター部２６となっている。そして、プリンター部２６の上側にスキャナー部２７が配置されている。スキャナー部２７は、装置本体１２の上面部に配置された原稿読取り面を有する不図示の原稿台と、その上側に装置本体１２に対して原稿台を覆う閉状態と原稿台を覆わない開状態とに開閉可能なカバー２８とを有する。カバー２８の上部には、複数枚の原稿をセットしてスキャナー部２７へ一枚ずつ給送可能な自動原稿給送ユニット２９（オートドキュメントフィーダー）が設けられている。
【００２１】
次に、上述した給送カセット１６〜１８にセットされる用紙Ｐと、手差しトレイ１９にセットされる用紙Ｐとの差異について説明する。
給送カセット１６〜１８は、手差しトレイ１９に比較して、多数の用紙Ｐを収容可能であり、その収容可能な用紙量の上限は一例として５００枚となっている。一方、手差しトレイ１９は、給送カセット１６〜１８に比較して、少数の用紙Ｐを収容可能であり、その収容可能な用紙量の上限は一例として１００枚となっている。こうした点で、本実施形態では、給送カセット１６〜１８が「第１媒体供給源」の一例に相当し、手差しトレイ１９が「セットできる媒体量（用紙量）が第１媒体供給源よりも少ない第２媒体供給源」の一例に相当している。
【００２２】
また、給送カセット１６〜１８と手差しトレイ１９とは、収容可能な「用紙の種類」が異なっている。ここで、本実施形態における「用紙の種類」とは、用紙のサイズを示す「用紙サイズ」と用紙の質に関する種類を示す「質種」とを含む概念を意味する。具体的には、給送カセット１６〜１８は、手差しトレイ１９に比較して、収容可能な「用紙サイズ」が限られている。一例として、給送カセット１６〜１８は、Ａ４判、Ａ５判、Ｂ５判、レター、及びリーガルなどのサイズの用紙Ｐを収容可能であるのに対して、手差しトレイ１９は、給送カセット１６〜１８が収容可能な用紙Ｐに加えて、Ｌ判、２Ｌ判、Ａ６判、及びハガキなどの給送カセット１６〜１８よりも小さいサイズの用紙Ｐを収容可能である。また、給送カセット１６〜１８は、手差しトレイ１９に比較して、収容可能な「質種」も限られている。一例として、給送カセット１６〜１８は、普通紙、再生紙、上質紙、色付き紙などの質種の用紙Ｐを収容可能であるのに対して、手差しトレイ１９は、給送カセット１６〜１８が収容可能な用紙Ｐに加えて、光沢紙、ラベルシート、厚紙などの質種の用紙Ｐを収容可能である。こうした点で、本実施形態では、給送カセット１６〜１８が「第１媒体供給源」の一例に相当し、手差しトレイ１９が「セットできる媒体の種類（用紙の種類）が第１媒体供給源よりも多い第２媒体供給源」の一例に相当している。なお、給送カセット１６〜１８は、手差しトレイ１９に比較して、収容可能な「用紙サイズ」が限られていれば、収容可能な「質種」は等しくてもよい。また、給送カセット１６〜１８は、手差しトレイ１９に比較して、収容可能な「質種」が限られていれば、収容可能な「用紙サイズ」は等しくてもよい。
【００２３】
以上より、給送カセット１６〜１８は手差しトレイ１９に比べてセットできる用紙量が多いため、習慣的に同一の種類の用紙Ｐを大量印刷する際の用紙供給源に適している。一方、手差しトレイ１９は給送カセット１６〜１８に比べ、習慣的に異なる種類の媒体を少量印刷する際の用紙供給源に適している。このため、給送カセット１６〜１８に以前と異なる種類の用紙Ｐがセットされる頻度は、手差しトレイ１９に以前と異なる種類の用紙Ｐがセットされる頻度よりも低くなる。すなわち、給送カセット１６〜１８は手差しトレイ１９よりもセットされる用紙の種類が変更される頻度が低く、手差しトレイ１９は給送カセット１６〜１８よりもセットされる用紙の種類が変更される頻度が高くなる。
【００２４】
次に図２に基づいてプリンター１１の電気的構成を説明する。図２に示すように、プリンター１１は、その全体的な制御を司るコントローラー３０、操作パネル１３、スキャンエンジン３１、プリントエンジン３２、及びファクシミリ通信部（以下「ＦＡＸ通信部３３」と称す）を備えている。また、プリンター１１は、外部メモリーインターフェイス（以下「外部メモリーＩ／Ｆ３４」と称す）及び通信インターフェイス（以下「通信Ｉ／Ｆ３５」と称す）を備えている。
【００２５】
プリントエンジン３２は、印刷ヘッド２３、キャリッジ２２を移動させる動力源となるキャリッジモーター３６、給送トレイ１６〜１９から用紙Ｐを給送する動力源となる給送モーター３７、給送された用紙Ｐを搬送する動力源となる搬送モーター３８、印刷ヘッド２３をクリーニングするクリーニング装置３９などを備えている。
【００２６】
外部メモリーＩ／Ｆ３４は、スロット１２ａに挿入された外部記憶媒体ＥＭ（例えばメモリーカード）に対して、コントローラー３０のアクセスを可能にする。通信Ｉ／Ｆ３５は、プリンター１１をホスト装置１００と接続し、ホスト装置１００からの印刷指令をプリンター１１に伝達可能とする。なお、ホスト装置１００には、パーソナルコンピューターや携帯情報端末などが用いられる。
【００２７】
コントローラー３０は、コンピューター４０を備えている。コンピューター４０は、ＣＰＵ４１（中央処理装置）、ＡＳＩＣ４２（Application Specific IC（特定用途向けＩＣ））、不揮発性メモリー４３及びＲＡＭ４４を備えている。不揮発性メモリー４３には、プリンター１１における各種制御に必要なプログラムが記憶され、ＣＰＵ４１がプログラムを実行することによりプリンター１１の各種制御が行われる。
【００２８】
さらに不揮発性メモリー４３には、各給送トレイ１６〜１９とそれにセットされている用紙の種類との対応関係を示す設定データＳＤ（図３参照）が記憶されている。具体的には、設定データＳＤには、第１給送カセット１６には用紙サイズが「Ａ４」であって質種が「普通紙」である用紙Ｐがセットされ、手差しトレイ１９には用紙サイズが「Ｂ５」であって、質種が「光沢紙」である用紙Ｐがセットされているといった情報が含まれている。また、設定データＳＤには、給送カセット１６〜１８に対しては、後述する「初回設定フラグ」が含まれている。こうした点で、本実施形態では、不揮発性メモリー４３が、給送カセット１６〜１８及び手差しトレイ１９にセットされている用紙の種類を記憶する記憶部の一例に相当している。
【００２９】
図２に示すように、装置本体１２内には、給送モーター３７を動力源として各給送カセット１６〜１８にセットされた用紙Ｐを一枚ずつ送り出す機能を有する給送駆動部４６が給送カセット１６〜１８毎に設けられている。各給送駆動部４６は、装置本体１２側のフレームに対して軸支された揺動部材４７の先端部に回転可能に支持されたピックアップローラー４８を備えている。給送カセット１６〜１８のうちの一つのピックアップローラー４８が回転すると、その給送カセット１６〜１８にセットされた用紙群のうち最上位の一枚が給送方向下流側へ送り出される。また、手差しトレイ１９の基端部近傍位置に設けられた給送ローラー４９が、給送モーター３７の動力で回転駆動することにより、手差しトレイ１９上の用紙群のうち最上位の一枚が給送方向下流側へ送り出される。
【００３０】
図２に示すように、装置本体１２には、給送カセット１６〜１８の取外し及び装着を検知可能なトレイセンサー５１〜５３が給送カセット１６〜１８毎に設けられている。これらのトレイセンサー５１〜５３はコントローラー３０の入力端子に接続されている。
【００３１】
また、装置本体１２又は給送カセット１６〜１８には、給送カセット１６〜１８上の用紙Ｐの有無を検知可能な紙センサー５４〜５６が設けられている。また、装置本体１２には、手差しトレイ１９上の用紙Ｐの有無を検知可能な紙センサー５７が設けられている。これらの紙センサー５４〜５７は、コントローラー３０の入力端子に接続されている。
【００３２】
また、紙センサー５４〜５７は、給送トレイ１６〜１９上の用紙Ｐを検知したときに紙有りの旨の検知信号をコントローラー３０に出力し、給送トレイ１６〜１９上に用紙Ｐがないときに紙無しの旨の非検知信号をコントローラー３０に出力する。このため、コントローラー３０は、紙センサー５４〜５７からの信号を基に給送トレイ１６〜１９上の用紙Ｐの残量があるかどうかを確認可能である。
【００３３】
次に、図３を用いてコントローラー３０の機能的構成について説明する。コントローラー３０は、プログラムを実行するＣＰＵ４１によりソフトウェアとして構築される機能部分、及びＡＳＩＣ４２内の回路に書き込まれたプログラムにより構築される機能部分として制御部６０を備えている。
【００３４】
図３に示す制御部６０は、印刷制御をはじめとするプリンター１１における各種印刷制御を司る印刷制御部６１と、ＦＡＸ通信部３３で受信したＦＡＸ原稿を印刷するファクシミリ制御部６２とを備えている。また、制御部６０は、セットした用紙の種類をユーザーに問い合わせする問合せ部６３と、問合せ部６３の問合せに対する応答を受け付ける受付部６４と、問合せ部６３のユーザーに対する問合せを禁止する禁止部６５とを備えている。
【００３５】
印刷制御部６１は、ユーザーからの印刷指示によって通信Ｉ／Ｆ３５から印刷データが入力された場合などに、プリントエンジン３２を駆動制御して入力された印刷データに基づいて印刷を行う。このとき、印刷制御部６１は、設定データＳＤを参照して、給送トレイ１６〜１９のうちユーザーから指定された種類（用紙サイズ・質種）の用紙Ｐがセットされた一つの給送トレイを選択する。そして、印刷制御部６１は、プリントエンジン３２を駆動制御して、その選択した給送トレイから給送された用紙Ｐに印刷を行う。こうした点で、本実施形態では、印刷制御部６１及びプリントエンジン３２が印刷部の一例に相当している。また、ファクシミリ制御部６２は、ＦＡＸ通信部３３からＦＡＸ信号が出力された場合にプリントエンジン３２を駆動制御してＦＡＸ原稿の印刷を行う。すなわち、ファクシミリ制御部６２及びプリントエンジン３２も印刷部の一例に相当している。
【００３６】
問合せ部６３は、給送カセット１６〜１８及び手差しトレイ１９のうちの１つに、新たな用紙Ｐがセットされたことをトレイセンサー５１〜５３及び紙センサー５４〜５７に基づいて検出した場合に、表示部１４に図４（ａ）に示す問合せ画面８０を表示して、ユーザーにセットした用紙の種類の問合せを行う。具体的には、問合せ部６３は、各トレイセンサー５１〜５３からの信号に基づき各給送カセット１６〜１８が引き出された後に再び装置本体１２に装着されたことを判断した場合に、紙センサー５４〜５６からの信号に基づき再装着された給送カセットの中に用紙Ｐが存在するかを判断する。そして、問合せ部６３は、その給送カセットの中に用紙Ｐが存在することを判断した場合に、ユーザーに対してその給送カセットにセットされた用紙の種類の入力を促す問合せ画面８０を表示部１４に表示させる。また、問合せ部６３は、紙センサー５７からの信号に基づき手差しトレイ１９上の用紙Ｐが一旦無くなって非検知状態になった後、再び用紙Ｐを検知した場合に、ユーザーに対してその手差しトレイ１９にセットされた用紙の種類の入力を促す問合せ画面８０を表示部１４に表示させる。こうした点で、本実施形態では、トレイセンサー５１〜５３及び紙センサー５４〜５７が給送カセット１６〜１８及び手差しトレイ１９に新たに用紙Ｐがセットされたことを検出する検出部の一例に相当している。なお、本実施形態において「給送カセットに新たに用紙Ｐがセットされた」ということは、単に取り外されている給送カセットに新たに用紙Ｐがセットされたということを意味するのではない。給送カセットが引き出された後に再び装置本体１２に装着され、かつ、その時点で給送カセット中に用紙Ｐがセットされていたということを意味する。なお、図４（ａ）では、図面の省略のために、給送カセット１６〜１８及び手差しトレイ１９用の問合せ画面を代表して、第１給送カセット１６用の問合せ画面８０を示している。
【００３７】
また、本実施形態では、プリンター１１を操作して印刷する場合（ホスト装置１００からの印刷指示以外の場合）、印刷条件設定及び印刷指示のうち少なくとも一方は表示部１４に表示される画面上の操作で行われるので、印刷を行うためには問合せ画面８０を終了させる必要がある。
【００３８】
さて、問合せ画面８０には、給送トレイ１６〜１９にセットされた用紙Ｐの用紙サイズを設定するときに操作される用紙サイズボタン８１と、質種を設定するときに操作される質種ボタン８２と、問合せ画面８０を終了させるときに操作される設定終了ボタン８３とが設けられている。
【００３９】
そして、図４（ａ）に示す問合せ画面８０において、用紙サイズボタン８１を選択操作すると、図４（ｂ）に示す用紙サイズ選択画面８５に切り替わる。この用紙サイズ選択画面８５の例では、用紙サイズの選択対象として、Ａ４判、Ｂ５判、Ａ５判、レターなどの用紙サイズの候補の一覧がボタン８６で表示される。画面８５中の矢印キー８７を操作するとその操作した矢印の方向へ画面がスクロールされ、全ての用紙サイズのボタン８６を選択可能となっている。図４（ｂ）の例に示すように、用紙サイズとして同図に太枠で示された「Ｂ５」のボタン８６が選択されると、図４（ａ）の問合せ画面８０に切り替わり、用紙サイズボタン８１の表示が「Ａ４」から「Ｂ５」に変更される。
【００４０】
一方、図４（ａ）に示す問合せ画面８０において、質種ボタン８２を選択操作すると、図４（ｃ）に示す質種選択画面８８に切り替わる。この質種選択画面８８の例では、普通紙、再生紙、上質紙、色付き紙などのプリンター１１が対応可能な質種の候補の一覧がボタン８９で表示される。画面８８中の矢印キー８７を操作するとその操作した矢印の方向へ画面がスクロールされ、全ての質種のボタン８９を選択可能となっている。図４（ｃ）の例に示すように、質種として同図に太枠で示された「色付き紙」のボタン８９が選択されると、図４（ａ）の問合せ画面８０に切り替わり、質種ボタン８２の表示が「普通紙」から「色付き紙」に変更される。
【００４１】
なお、上述したように、給送カセット１６〜１８にセットできる用紙の種類は、手差しトレイ１９にセットできる用紙の種類よりも少なくなっている。このため、実際には、給送カセット１６〜１８の問合せ画面８０から用紙サイズ選択画面８５に切り替えた場合に選択できる用紙サイズの選択肢は、手差しトレイ１９の問合せ画面８０から用紙サイズ選択画面８５に切り替えた場合に選択できる用紙サイズの選択肢よりも少なくなる。同様に、実際には、給送カセット１６〜１８の問合せ画面８０から質種選択画面８８に切り替えた場合に選択できる質種の選択肢は、手差しトレイ１９の問合せ画面８０から質種選択画面に切り替えた場合に選択できる質種の選択肢よりも少なくなる。
【００４２】
そして、用紙サイズと質種との設定が終了した後に設定終了ボタン８３を選択することで、問合せ部６３の問合せ画面８０が終了する。なお、設定終了ボタン８３は、設定を何も変更しない場合に、問合せ画面８０を終了する際に操作されるキャンセルボタンの機能も有している。もちろん、設定終了ボタン８３とは別にキャンセルボタンを設けてもよい。
【００４３】
受付部６４は、問合せ部６３の問合せに対して、ユーザーが操作部１５を介して入力した問合せの応答を受け付け、それを設定データＳＤに記憶させる。具体的には、給送カセット１６〜１８及び手差しトレイ１９に対して、用紙サイズ及び質種に係る問合せの応答をユーザーから受け付けて設定データＳＤに記憶させる。なお、こうした問合せ部６３及び受付部６４は、ユーザーが何れかの給送トレイ１６〜１９の用紙Ｐを以前と異なる種類の用紙Ｐに交換した際に、その給送トレイに実際にセットされた用紙の種類と、その給送トレイの設定データＳＤ上の用紙の種類とが、対応しなくなることを抑制するために設けられている。
【００４４】
禁止部６５は、給送カセット１６〜１８に新たな用紙Ｐがセットされた場合に、問合せ部６３が問合せ画面８０を表示部１４に表示させることを禁止する。ただし、禁止部６５は、プリンター１１の電源が投入された後、初めて給送カセット１６〜１８に新たな用紙Ｐがセットされた場合には、問合せ部６３が問合せ画面８０を表示させることを禁止しない。具体的には、禁止部６５は、上述した設定データＳＤに記憶される初回設定フラグの値を参照して、新たな用紙Ｐがセットされた給送カセット１６〜１８に対して、問合せ画面８０が表示することを禁止したり許容したりする。このため、設定データＳＤ中には、給送カセット１６〜１８毎に初回設定フラグが用意される。一例として、初回設定フラグは、プリンター１１の電源投入直後に「０（零）」に初期化されればよい。そして、同初回設定フラグは、給送カセット１６〜１８のうち対応する給送カセットに新たな用紙Ｐがセットされ、問合せ部６３の用紙の種類の問合せに対するユーザーの応答を設定データＳＤに記憶させた後に、「１」がセットされればよい。
【００４５】
次に、図５に示すフローチャートを参照して、制御部６０が実行する処理ルーチンについて説明する。なお、処理ルーチンは、プリンター１１の電源投入後、逐次実行されるものとする。また、プリンター１１の電源が投入されてから、一度も用紙Ｐが給送カセット１６〜１８にセットされていないものとする。
【００４６】
図５に示す本処理ルーチンでは、まずステップＳ１１において、制御部６０は、新たな用紙Ｐが給送トレイ１６〜１９（給送カセット１６〜１８及び手差しトレイ１９）にセットされたか否かをトレイセンサー５１〜５３及び紙センサー５４〜５７の検出結果に基づいて判定する。そして、給送トレイ１６〜１９に新たな用紙Ｐがセットされていない場合（ステップＳ１１：ＮＯ）、制御部６０は、新たな用紙Ｐが何れかの給送トレイ１６〜１９にセットされるまでステップＳ１１の判定処理を繰り返し実行する。一方、給送トレイ１６〜１９に新たな用紙Ｐがセットされた場合（ステップＳ１１：ＹＥＳ）、制御部６０は、その処理をステップＳ１２に移行する。
【００４７】
ステップＳ１２において、制御部６０は、用紙Ｐがセットされた給送トレイが給送カセット１６〜１８であるか否かを判定する。用紙Ｐがセットされた給送トレイが給送カセット１６〜１８である場合（ステップＳ１２：ＹＥＳ）、制御部６０は、その処理をステップＳ１３に移行する。
【００４８】
ステップＳ１３において、制御部６０は、その給送カセットに用紙Ｐがセットされるのは、プリンター１１の電源が投入されてから初めてであるか否かを判定する。その給送カセットに用紙Ｐがセットされるのは、プリンター１１の電源が投入されてから２回目以降である場合（ステップＳ１３：ＮＯ）、制御部６０は、その処理を一旦終了する。一方、その給送カセットに用紙Ｐがセットされるのは、プリンター１１の電源が投入されてから初めてである場合（ステップＳ１３：ＹＥＳ）、制御部６０は、その処理をステップＳ１４に移行する。なお、実際には、制御部６０は、設定データＳＤ内の初回設定フラグの値を参照して、ステップＳ１３の判定を行う。
【００４９】
ステップＳ１４において、制御部６０は、問合せ画面８０を表示部１４に表示させる。ここで、図４（ａ）に示すように、問合せ画面８０では、用紙のサイズ、及び質種の設定が可能となっている。
【００５０】
続いて、ステップＳ１５において、制御部６０は、問合せに対するユーザーによる設定が終了したか否かを判定する。問合せに対する設定が終了する場合とは、上述した問合せ画面８０を介して、ユーザーが用紙の種類の設定を変更して設定終了ボタン８３を操作する場合や、ユーザーが用紙の種類の設定を変更することなく設定終了ボタン８３を操作する場合をいう。そして、問合せに対する設定が終了していない場合（ステップＳ１５：ＮＯ）、制御部６０は、ユーザーから用紙の種類の設定終了の入力があるまで、ステップＳ１５の判定処理を繰り返し実行する。一方、ユーザーが問合せに対する設定を終了した場合（ステップＳ１５：ＹＥＳ）、制御部６０は、その処理をステップＳ１６に移行する。
【００５１】
ステップＳ１６において、制御部６０は、ユーザーが設定した用紙の種類の情報を、設定データＳＤにおけるその給送カセットに対応する部分を書き替えることで記憶して、この処理ルーチンを一旦終了する。また、このステップＳ１６において、その給送カセットに対応する初回設定フラグの値を、プリンター１１の電源が投入されてから初回の用紙Ｐのセットが行われた旨の値（例えば「１」）に更新する。
【００５２】
一方、先のステップＳ１２において、用紙Ｐがセットされた給送トレイが手差しトレイ１９であった場合（ステップＳ１２：ＮＯ）、制御部６０は、その処理をステップＳ１７に移行する。そして、ステップＳ１７において、制御部６０は、問合せ画面８０を表示部１４に表示させる。ここで、図４（ａ）に示すように、問合せ画面８０では、用紙のサイズ及び質種の設定が可能となっている。
【００５３】
続いて、次のステップＳ１８において、制御部６０は、ユーザーから問合せに対する設定が終了したか否かを判定し、問合せに対する設定が終了していない場合（ステップＳ１８：ＮＯ）、問合せに対する設定が終了するまでステップＳ１８の判定処理を繰り返し実行する。一方、問合せに対する設定が終了した場合（ステップＳ１８：ＹＥＳ）、制御部６０は、その処理をステップＳ１６に移行する。
【００５４】
そして、ステップＳ１６において、制御部６０は、ユーザーが設定した用紙の種類の情報を、設定データＳＤにおける手差しトレイ１９に対応する部分を書き替えることで記憶して、この処理ルーチンを一旦終了する。
【００５５】
なお、本実施形態では、ステップＳ１２，Ｓ１４，Ｓ１７が問合せ部６３の行う処理の一例に相当し、ステップＳ１３が禁止部６５の行う処理の一例に相当している。また、１つ目の給送トレイに新たな用紙Ｐがセットされて上述の処理を行っている最中に、２つ目の給送トレイに新たな用紙Ｐがセットされた場合は、１つ目の給送トレイに対する上述の処理を終了した直後に引き続いて２つ目の給送トレイに対する上述の処理を行う。
【００５６】
次に、本実施形態のプリンター１１の作用について説明する。作用に係る説明では、第１給送カセット１６は基本的に同一種類の用紙Ｐが継続してセットされるものとし、手差しトレイ１９はセットされる用紙Ｐの種類が変更されるものとする。また、プリンター１１の電源を投入してから、第１給送カセット１６に新たな用紙Ｐをセットしていないものとする。
【００５７】
さて、プリンター１１のユーザーが、第１給送カセット１６に新たな用紙Ｐをセットした場合には、プリンター１１の電源を投入してから初回の用紙Ｐのセットとなるため、表示部１４に図４（ａ）に示す問合せ画面８０が表示される。そして、プリンター１１の購入直後など、初めて用紙Ｐをセットする場合には、ユーザーは、セットした用紙Ｐの情報を問合せ画面８０に従って設定する。一方、プリンター１１の購入直後でない場合など、同一種類の用紙Ｐをセットする場合には、ユーザーは、用紙の種類の設定を以前の設定から変更しない。そして、ユーザーは、設定終了ボタン８３を操作する。こうして、プリンター１１の電源を投入してから初めて第１給送カセット１６に用紙Ｐがセットされた後は、初回設定フラグが設定されるため、プリンター１１の電源を切断しない限り、次回以降に第１給送カセット１６に用紙Ｐをセットした場合に問合せ画面８０が表示部１４に表示されなくなる。したがって、同一種類の用紙Ｐが継続してセットされる第１給送カセット１６に対しては、プリンター１１の電源を投入してから２回目以後の用紙Ｐをセットする際に問合せ画面８０を表示させなくすることで、ユーザーが問合せ画面８０を終了させる操作をしなくて済み手間が低減される。
【００５８】
また、プリンター１１のユーザーが、手差しトレイ１９に新たな用紙Ｐをセットした場合には、表示部１４に図４（ａ）に示す問合せ画面８０が上部の表記が「手差しトレイ」となった状態で表示される。手差しトレイ１９は、セットされる用紙Ｐの種類が変更される可能性が比較的高く、以前と異なる種類の用紙Ｐがセットされた場合には、ユーザーは、用紙の種類の設定を以前の設定から変更する。そして、ユーザーは設定終了ボタン８３を操作する。ここで、手差しトレイ１９に対しては、初回設定フラグが設定不可能なため、次回以降に手差しトレイ１９に新たな用紙Ｐをセットした場合でも、表示部１４に問合せ画面８０が表示される。こうして、複数種類の用紙Ｐがセットされる手差しトレイ１９に対しては、プリンター１１の電源を投入してから手差しトレイ１９に対する用紙Ｐのセット回数に関係なく、ユーザーは、その都度用紙の種類の設定を行うことができる。
【００５９】
上記実施形態によれば、以下に示す効果を得ることができる。
（１）セットできる用紙の種類が手差しトレイ１９よりも少なく、以前と異なる種類の用紙Ｐがセットされる可能性が比較的低い、給送カセット１６〜１８に用紙Ｐがセットされる場合には、ユーザーにセットした用紙の種類の問合せを行わないようにできる。一方、セットできる用紙の種類が給送カセット１６〜１８よりも多く、以前と異なる種類の用紙Ｐがセットされる可能性が比較的高い、手差しトレイ１９に用紙Ｐがセットされる場合には、ユーザーにセットした用紙の種類の問合せを必ず行うことができる。したがって、新たな用紙Ｐを給送トレイ１６〜１９にセットした後に、その用紙Ｐのセットに伴って生じるユーザーの手間を低減することができる。
【００６０】
例えば、給送カセット１６〜１８に用紙Ｐをセットする度に問合せ画面８０が表示されると、用紙の種類の変更が必要でない場合にその問合せ画面８０の表示を終了させる操作が手間になるが、本実施形態では問合せ画面８０が表示されないため、この種の操作の手間を無くすことができる。また、手差しトレイ１９に用紙Ｐをセットする度に問合せ画面８０が表示されるため、用紙の種類の変更が必要である場合に、問合せ画面８０に従って用紙の種類の変更設定が可能となり、別途、用紙の種類の入力画面を表示させる操作を行う必要を無くすことができる。また、用紙Ｐを新たにセットした際の用紙の種類の入力忘れによって、手差しトレイ１９と用紙Ｐの種類との対応関係が、設定データＳＤと実際とで不一致になる事態を回避し易い。このため、ユーザーが印刷時に指定した種類の用紙Ｐが手差しトレイ１９にセットされている場合に、その指定と異なる種類の用紙Ｐに印刷がなされる不都合も低減できる。
【００６１】
（２）給送カセット１６〜１８は、手差しトレイ１９に比べてセットできる用紙量が多いため、同一の種類の用紙Ｐを大量印刷する際の用紙供給源に適している。一方、手差しトレイ１９は給送カセット１６〜１８に比べ、異なる種類の用紙Ｐを少量印刷する際の用紙供給源に適している。このため、給送カセット１６〜１８に以前と異なる種類の用紙Ｐがセットされる頻度は、手差しトレイ１９に以前と異なる種類の用紙Ｐがセットされる頻度よりも低くなる。こうした点からも、（１）に記載の効果を得ることができる。
【００６２】
（３）プリンター１１の電源を投入した後、初めて給送カセット１６〜１８に新たな用紙Ｐがセットされると、同給送カセット１６〜１８に対してセットされた用紙の種類の問合せ画面８０の表示が許容される。そして、電源投入状態でプリンター１１を継続して使用する限りは、その後に給送カセット１６〜１８に新たな用紙Ｐがセットされても、用紙の種類の問合せ画面８０の表示が禁止される。こうして、用紙の種類を問合せる必要が高いと予想される、電源投入後初めて給送カセット１６〜１８に用紙Ｐがセットされたときに限り、用紙の種類を問合せることが可能となる。例えば、用紙の種類を問合せる必要が高いと予想される、プリンター１１の購入後、初回の電源投入時において、用紙の種類を問い合わせることが可能となる。こうして、用紙Ｐのセットに伴って生じるユーザーの手間をより低減することができる。
【００６３】
（４）給送トレイ１６〜１８に電源投入後初めて新たな用紙Ｐがセットされたことが検出された場合と、給送トレイ１９に新たな用紙Ｐがセットされたことが検出された場合とには、問合せ部６３は、その給送トレイにセットされている用紙の種類の入力を促す問合せ画面８０を表示部１４に表示させる。このため、ユーザーがその問合せに対して用紙の種類を入力する設定作業を容易に行うことができる。
【００６４】
なお、上記実施形態は、以下に示すように変更してもよい。
・図５に示すフローチャートにおいて、ステップＳ１３とステップＳ１４の間に、プリンター１１の電源の切断時から電源の再投入時までの停止期間と、予め設定される設定期間との大小関係を判定する判定ステップを追加してもよい。この場合、制御部６０は、停止期間が設定期間以上である場合には、その処理をステップＳ１４に移行し、停止期間が設定期間未満である場合には、その処理を一旦終了するようにすることが望ましい。あるいは、プリンター１１の電源投入直後に、プリンター１１の電源の切断時から電源の再投入時までの停止期間と、予め設定される設定期間との大小関係を判定し、停止期間が設定期間以上である場合には、初回設定フラグを「０（零）」に初期化し、停止期間が設定期間未満である場合には、初回設定フラグを変更しないようにしてもよい。これによれば、例えば、プリンター１１を日中は電源を投入し夜間は電源を切断するという態様で使用する場合、設定期間を半日（１２時間）に設定することによって、夜間切断されていたプリンター１１の電源投入後、最初に給送カセット１６〜１８に新たな用紙Ｐがセットされても、用紙の種類の問合せを禁止させることができる。ここで、設定期間は、１日に限らず、１分、１０分、１時間など任意の期間を設定できる。例えば１分又は１０分の場合、プリンターのトラブルをリセットする目的で電源を一旦切断して直ぐ投入する操作を行ってその後初めて給送カセット１６〜１８のいずれかに用紙Ｐがセットされても、問合せ画面８０の表示を禁止することができる。よって、これらの構成によれば、用紙Ｐのセットに伴って生じるユーザーの手間をさらに低減することができる。なお、設定期間を操作部１５の操作で変更できるようにしてもよい。
【００６５】
一方で、プリンター１１の所有者や所有部門が変わった場合などは、長時間電源を切断してプリンター１１の移動がなされるであろうから、新たな所有者や所有部門のもとで使い始める時には停止期間が設定期間以上になり、問合せ画面８０の表示を行うようにできる。もちろん、このような所有者や所有部門の変更を意識しない場合には、そもそも初回設定フラグを「０（零）」に初期化するようなことをせずに、プリンター１１の購入後に最初に電源を投入してから初めて給送カセット１６〜１８に用紙Ｐがセットされた場合にのみ問合せ画面８０の表示を行うようにしてもよい。
【００６６】
・問合せ部６３は、プリンター１１の電源を投入してから初めて給送カセット１６〜１８に用紙Ｐがセットされた後に、図４（ａ）に示す問合せ画面８０の代わりに図６に示す問合せ画面８０Ａを表示してもよい。この場合、制御部６０は、図５に示すフローチャートの代わりに、図７に示すフローチャートに従って、その処理を行ってもよい。
【００６７】
ここで、問合せ画面８０Ａには、「次回用紙セット時に、この画面を表示する」ようにするか否かを選択できるチェックボックス８４が設けられている。問合せ画面８０Ａにおいては、「次回用紙セット時に、この画面を表示する」ことを意味する「表示設定」をユーザーが希望する場合には、チェックボックス８４にチェックを入れる。一方、「表示設定」をユーザーが希望しない場合には、チェックボックス８４にチェックを入れない。こうして、問合せ画面８０Ａ上では、「表示設定」を設定するか否かをユーザーが選択できるようになっている。また、この表示設定は、給送カセット１６〜１８毎に設定可能とされ設定データＳＤ内の所定領域に記憶可能となっている。
【００６８】
図７に示すフローチャートでは、新たな用紙Ｐがセットされたのが給送カセットで（ステップＳ１２：ＹＥＳ）、用紙Ｐがセットされるのは電源投入後初めてではない場合（ステップＳ１３：ＮＯ）、制御部６０はその処理を次のステップＳ２１に移行する。ステップＳ２１において、制御部６０は、設定データＳＤを参照して、その給送カセットが表示設定になっているか否かを判定する。その給送カセットが表示設定になっていない場合（ステップＳ２１：ＮＯ）、制御部６０は、その処理を一旦終了する。一方、その給送カセットが表示設定になっている場合（ステップＳ２１：ＹＥＳ）、制御部６０は、その処理をステップＳ２２に移行する。
【００６９】
ステップＳ２２において、制御部６０は、給送カセット１６〜１８用の問合せ画面８０Ａを表示部１４に表示させる。ここで、図６に示すように、問合せ画面８０Ａでは、用紙サイズ、質種、及び「表示設定」の設定が可能となっている。
【００７０】
ステップＳ２３において、制御部６０は、表示設定を更新する。すなわち、ユーザーが表示設定を設定した場合には、その旨を対応する給送カセットの設定データＳＤに記憶する。その一方で、ユーザーが表示設定を設定しなかった場合には、その旨を対応する給送カセットの設定データＳＤに記憶する。
【００７１】
以上のように、図６に示す問合せ画面８０及び図７に示すフローチャートに変更することで、次に述べる作用効果を得ることができる。プリンター１１の電源を投入してから給送カセット１６〜１８に用紙Ｐが初めてセットされた際に表示される問合せ画面８０Ａにおいて、ユーザーがチェックボックス８４にチェックを入れて設定終了ボタン８３を操作すると、プリンター１１の電源投入後２回目以降の用紙Ｐのセットが行われた場合でも問合せ画面８０Ａが表示されるようになる。一方、ユーザーがチェックボックス８４にチェックを入れずに設定終了ボタン８３を操作すると、プリンター１１の電源投入後２回目以降の用紙Ｐのセットが行われた場合には、問合せ画面８０Ａが表示されなくなる。したがって、給送カセット１６〜１８に対しては、問合せ画面８０Ａを表示させるか否かを選択させ、複数種類の用紙Ｐがセットされる可能性が高い場合は、繰り返し問合せ画面８０Ａが表示させることで、ユーザーが新たな用紙Ｐをセットする際に、都度用紙の種類の設定を行わせることができる。このようにすることで、用紙の種類を頻繁に変えて給装カセット１６〜１８に用紙Ｐをセットする場合にも、用紙Ｐのセットに伴って生じるユーザーの手間を低減することができる。
【００７２】
・禁止部６５は、プリンター１１の電源を投入してから初めて給送カセット１６〜１８に用紙Ｐがセットされた場合でも、問合せ部６３の問合せを禁止してもよい。これによれば、給送カセット１６〜１８に対して異なる種類の用紙Ｐをセットする可能性が無い場合には、新たな用紙Ｐを給送カセット１６〜１８にセットした後に、その用紙Ｐのセットに伴って生じるユーザーの手間を無くすことができる。
【００７３】
・問合せ画面８０を表示してから所定時間（例えば、数分）を経過しても、ユーザーから操作がない場合には、用紙の種類が変更されなかったものとして問合せ画面８０を終了させてもよい。
【００７４】
・例えば、第１給送カセット１６に比べて第２給送カセット１７にセットされる用紙の種類が多い場合には、第１給送カセット１６を第１媒体供給源とするとともに、第２給送カセット１７を第２媒体供給源としてもよい。また、第１給送カセット１６に比べて第２給送カセット１７にセットされる用紙量が少ない場合には、第１給送カセット１６を第１媒体供給源とするとともに、第２給送カセット１７を第２媒体供給源としてもよい。こうして、給送カセット１６〜１８のうちで、第１媒体供給源と第２媒体供給源とを設定するようにしてもよい。なお、この場合には、手差しトレイ１９を設けなくてもよい。
【００７５】
・例えば、トレイセンサー５１〜５３が給送カセットを検知しない非検知状態になるとコントローラー３０がタイマーによる計時を開始し、その後、検知状態になるとタイマーによる計時を停止して経過時間を取得するようにしてもよい。この場合、禁止部６５は、その経過時間が用紙の交換に最低必要と想定される設定時間よりも短い場合に、問合せ部６３の問合せを禁止するようにしてもよい。これによれば、経過時間が短い時間（例えば、数秒）であれば、ユーザーが用紙の交換を意図せず他の目的（例えば用紙の種類又は残量の確認）で又は誤操作のため、給送カセット１６〜１８が取り外し及び装着されたと判断して、問合せ部６３の問合せを禁止することができる。すなわち、新たな用紙Ｐのセットが伴わずに、給送カセット１６〜１８が取り外し及び装着される場合には、問合せ部６３の問合せを禁止することで、問合せに対するユーザーの作業の手間を低減することができる。
【００７６】
・プリンター１１に接続されたホスト装置１００に、上記表示部１４に相当する表示を行う場合には、プリンター１１に表示部１４を備えなくてもよい。
・給送カセット１６〜１８は、手差しトレイ１９に比べて、セットできる用紙の種類（媒体の種類）が少なければ、セットできる用紙量（媒体量）が多くなくてもよい。若しくは、給送カセット１６〜１８は、手差しトレイ１９に比べて、セットできる用紙量（媒体量）が多ければ、セットできる用紙の種類（媒体の種類）が少なくなくてもよい。
【００７７】
・給送カセット１６〜１８に新たに用紙Ｐがセットされたことを、手差しトレイ１９のように紙センサー５４〜５６を用いて検出するようにしてもよい。
・給送トレイ１６〜１９に新たに用紙がセットされたこと検知する検出部は、接触式センサーでもよいし、光学センサーでもよいし、さらに他の種類のセンサーでもよい。
【００７８】
・給送カセット１６〜１８や手差しトレイ１９にセットされている用紙Ｐの用紙サイズと質種の一方を検知するセンサーを設けて、問合せ画面８０，８０Ａでは、他方をユーザーに問い合わせるようにしてもよい。
【００７９】
・給送カセット１６〜１８は三つに限定されず、一つ、二つ、四つ以上でもよい。手差しトレイ１９は一つに限定されず、複数あってもよい。また、一つの給送カセット内に複数段のセットできる用紙量が互いに異なるトレイが収納されて各トレイにセットされた異なる種類の用紙Ｐを選択して給送可能な構成の場合は、給送カセットが一つだけで手差しトレイ１９がなくてもよい。要するに、プリンター１１に媒体供給源として選択できる複数の給送手段があり、少なくとも以前と異なる種類の用紙Ｐがセットされる頻度が高い給送手段と以前と異なる種類の用紙Ｐがセットされる頻度が低い給送手段とが、それぞれ１つ以上あればよい。
【００８０】
・プリンター１１は、媒体に印刷する印刷機能を少なくとも有していればよく、印刷機能以外の機能も併せ持つ複合機に限定されない。
・媒体は、用紙Ｐに限定されず、樹脂製シート、紙と樹脂の複合体フィルム（樹脂含浸紙、樹脂コート紙など）、樹脂と金属の複合体フィルム（ラミネートフィルム）、織物、金属製フィルム、セラミックシートなどであってもよい。
【００８１】
・印刷装置の印刷方式は、インクジェット方式、ドットインパクト方式、レーザー方式でもよい。さらに、印刷装置は、シリアルプリンター、ラインプリンター又はページプリンターでもよい。
【符号の説明】
【００８２】
１１…プリンター（印刷装置の一例）、１４…表示部、１５…操作部、１６〜１８…給送カセット（第１媒体供給源の一例）、１９…手差しトレイ（第２媒体供給源の一例）、３０…コントローラー、３２…プリントエンジン（印刷部の一例）、４３…記憶部の一例としての不揮発性メモリー、５１〜５３…トレイセンサー（検出部の一例）、５４〜５７…紙センサー（検出部の一例）、６０…制御部、６１…印刷制御部（印刷部の一例）、６３…問合せ部、６４…受付部、６５…禁止部、８０，８０Ａ…問合せ画面、ＳＤ…設定データ、Ｐ…用紙（媒体の一例）。
【図１】
2015006768.tif 000003
【図２】
2015006768.tif 000004
【図３】
2015006768.tif 000005
【図４】
2015006768.tif 000006
【図５】
2015006768.tif 000007
【図６】
2015006768.tif 000008
【図７】
2015006768.tif 000009